(57)【要約】【課題】用紙束をオフセットしての積載可能な、且つ用紙束の整合を確実に行なえる用紙整合装置を提供する。【解決手段】用紙が束状に積載される用紙積載部材と前記用紙積載部材に積載された用紙の両側から互いに接近離間可能な基準整合部材及び寄せ整合部材と、前記用紙積載部材と前記基準整合部材と前記寄せ部材とを移動させる駆動手段と、前記駆動手段を制御して、複数の基準位置の内用紙束のサイズ等により選択した基準位置に前記基準整合部材を移動させてから、前記寄せ整合部材を前記用紙束のサイズに応じた位置に移動させて第一の用紙束の整合を行なった後前記整合部材を前記用紙束から離し、前記第一の用紙束が前記整合部材移動で干渉しない位置まで前記用紙積載部材を下降移動させ、前記基準及び寄せ整合部材を前記第一の用紙束よりある一定の距離シフトした位置に移動させた後前記用紙積載部材を用紙束整合可能な位置に上昇させ、前記整合部材により前記第一の用紙束とオフセットした位置に第二の用紙束を整合、積載する駆動制御手段とを備えた。【選択図】　　　図１
2004010239.tif 000002
【特許請求の範囲】
【請求項１】
用紙が束状に積載される用紙積載部材と前記用紙積載部材に積載された用紙の両側から互いに接近離間可能な基準整合部材及び寄せ整合部材と、前記用紙積載部材と前記基準整合部材と前記寄せ部材とを移動させる駆動手段と、前記駆動手段を制御して、複数の基準位置の内用紙束のサイズ等により選択した基準位置に前記基準整合部材を移動させてから、前記寄せ整合部材を前記用紙束のサイズに応じた位置に移動させて第一の用紙束の整合を行なった後前記整合部材を前記用紙束から離し、前記第一の用紙束が前記整合部材移動で干渉しない位置まで前記用紙積載部材を下降移動させ、前記基準及び寄せ整合部材を前記第一の用紙束よりある一定の距離シフトした位置に移動させた後前記用紙積載部材を用紙束整合可能な位置に上昇させ、前記整合部材により前記第一の用紙束とオフセットした位置に第二の用紙束を整合、積載する駆動制御手段と、を備えたことを特徴とする用紙整合装置。
【請求項２】
用紙が束状に積載される用紙積載部材と前記用紙積載部材に積載された用紙の両側から互いに接近離間可能な基準整合部材及び寄せ整合部材と、用紙束上面に接触配置され、且つ前記用紙積載部材の上下移動もしくは用紙束積載高さにより上下移動自在な１個あるいは複数個のローラと、前記用紙積載部材と前記基準整合部材と前記寄せ部材とを移動させる駆動手段と、前記駆動手段を制御して前記整合部材により用紙束整合中、及び用紙束整合後の前記用紙積載部材の下降及び上昇移動動作中、常に用紙束上面に前記ローラが接触していることを特徴とする請求項１記載の用紙整合装置。
【請求項３】
用紙に画像を形成する画像形成手段と、前記画像が形成された用紙束を整合する請求項１又は２に記載の用紙整合装置と、を備えたことを特徴とする画像形成装置。
【請求項４】
用紙に画像を形成する画像形成手段と、前記画像が形成された用紙束を整合する請求項１又は２に記載の用紙整合装置と、前記用紙整合装置によって整合された用紙束に後処理を施す手段と、を備えたことを特徴とする画像形成装置。
【発明の詳細な説明】
【０００１】
【発明の属する技術分野】
本発明は、用紙束を整合する用紙整合装置と、この用紙束整合装置を備えた複写機、プリンタ、ファクシミリ及びこれらの複合機器等の画像形成装置とに関するものである。
【０００２】
【従来の技術】
従来の用紙整合装置は、用紙束の両側から例えば用紙サイズ等の幅寄せ整合位置で幅寄せする１対の整合部材を移動させ用紙束を整合するのが一般的である。尚、本発明において用紙束の整合における「幅」とは用紙搬送方向に対して交差する方向をいう。
【０００３】
【発明が解決しようとする課題】
しかし、こうした用紙整合装置は用紙サイズ等の幅寄せ基準位置に基準整合部材を移動し、寄せ整合部材を用紙束のサイズに応じた位置に移動させて用紙束の整合を行なうため、複数部出力または複数ジョブ出力等ジョブ毎に用紙束を分けたい場合などに、用紙束をジョブ毎にオフセットさせて用紙束を積載することができずジョブ毎に用紙束整合装置または画像形成装置動作を中断させ用紙束を取り出さなければならない、またはジョブ毎に分けずそのまま積載し、積載終了後後処理装置あるいは手作業によりジョブ毎に分けなければならず作業効率の悪化を招いている。また用紙束整合時の整合部材移動動作、用紙束取り出し作業時の整合部材移動動作、積載部材移動動作時に用紙束の整合を乱してしまう等の欠点もあった。
【０００４】
本発明の目的は、上記従来の欠点を無くし、用紙束をオフセットしての積載可能な、且つ用紙束の整合を確実に行なえる用紙整合装置を提供することにある。
【０００５】
【課題を解決するための手段】
上記目的を達成するために、本発明の用紙整合装置は、用紙が束状に積載される用紙積載部材と前記用紙積載部材に積載された用紙の両側から互いに接近離間可能な基準整合部材及び寄せ整合部材と、前記用紙積載部材と前記基準整合部材と前記寄せ部材とを移動させる駆動手段と、前記駆動手段を制御して、複数の基準位置の内用紙束のサイズ等により選択した基準位置に前記基準整合部材を移動させてから、前記寄せ整合部材を前記用紙束のサイズに応じた位置に移動させて第一の用紙束の整合を行なった後前記整合部材を前記用紙束から離し、前記第一の用紙束が前記整合部材移動で干渉しない位置まで前記用紙積載部材を下降移動させ、前記基準及び寄せ整合部材を前記第一の用紙束よりある一定の距離シフトした位置に移動させた後前記用紙積載部材を用紙束整合可能な位置に上昇させ、前記整合部材により前記第一の用紙束とオフセットした位置に第二の用紙束を整合、積載する駆動制御手段と、を備えている。
【０００６】
上記目的を達成するために、本発明の用紙整合装置は、用紙が束状に積載される用紙積載部材と前記用紙積載部材に積載された用紙の両側から互いに接近離間可能な基準整合部材及び寄せ整合部材と、用紙束上面に接触配置され、且つ前記用紙積載部材の上下移動もしくは用紙束積載高さにより上下移動自在で、且つ常に用紙束上面に接触している１個あるいは複数個のローラと、前記用紙積載部材と前記基準整合部材と前記寄せ部材とを移動させる駆動手段と、を備えている。
【０００７】
【発明の実施の形態】
以下本発明の実施例を図面を参照しながら説明する。
【０００８】
図１は本発明による用紙整合装置の一実施例を示す概略上面図、図２は本発明の用紙整合装置の正面図であり、図２（Ａ）は第一の用紙束の整合状態を示す正面図、図２（Ｂ）は第一の用紙束整合終了後の用紙積載部材、及び整合部材の移動動作を示す正面図、図２（Ｃ）は第一の用紙束からオフセットした位置に第二の用紙束を整合、積載した状態を示す正面図である。
【０００９】
図において、整合部材１ａはモータ、ベルト等の駆動手段２ａにより、用紙サイズ等により選択した基準位置に移動し、その後図示しない複写機、プリンタ等の画像形成装置により矢印７方向へ送り出された用紙を駆動手段２ｂにより整合部材１ｂを矢印方向に移動させ、１枚、あるいは複数枚づつ用紙を整合し第一の用紙束３を積載する。
【００１０】
次に、同一ジョブ複数部出力または複数ジョブ出力等ジョブ毎に前記第一の用紙束３と用紙束を分ける場合は、前記第一の用紙束３を整合後、整合部材１ａ、１ｂを退避させ図２（Ｂ）に示す様に積載部材４をモータ、ベルト等の駆動手段（図示しない）により整合部材１ａ、１ｂ移動動作で用紙束に干渉しない位置まで下降移動させ、その後駆動手段２ａ、２ｂにより整合部材１ａ、１ｂを矢印方向に移動する。この時、前記第一の用紙束３の整合時と異なり、整合部材１ｂが用紙サイズ等により選択した基準位置に移動し基準整合部材となり、整合部材１ａが寄せ部材となる。
【００１１】
その後、再び用紙積載部材４を上昇させ、図２（Ｃ）に示す様に整合部材１ａを矢印方向に移動させ１枚、あるいは複数枚毎用紙を整合し、第二の用紙束５の積載を行なう。
以上、第一、第二の用紙束の整合、積載について説明したが、複数部のジョブを積載する場合は前記第一、第二の用紙束の整合、積載と同様に第三、第四、第五…と用紙束の整合、積載を行なう。
【００１２】
また、図２（Ａ）〜（Ｃ）において、用紙束上面に１個あるいは複数個の上下移動自在なローラ６を転接配置し、用紙束整合中、及び用紙積載部材４の上下移動中常に接触させることにより整合後用紙束のずれ、すべり等の乱れを防ぐことができる。
【００１３】
【発明の効果】
以上のように本発明によれば、用紙束を目的に応じたジョブ毎にオフセットして積載することができ、且つ各々の用紙束を確実に整合することができる。
【図面の簡単な説明】
【図１】本発明用紙整合装置の一実施例を示す概略上面図。
【図２】本発明用紙整合装置の整合状態を示す正面図。
【符号の説明】
１ａ，１ｂは整合部材、２ａ，２ｂは駆動手段、３は第一の用紙束、４は用紙積載部材、５は第二の用紙束、６は用紙上面に接触するローラである。
【図１】
2004010239.tif 000003
【図２】
2004010239.tif 000004